(57)【要約】【課題】  護岸の既設水路をそのまま残し、必要な水路断面と強度を確保することができるコンクリートパネルによる護岸の補強方法を提供する。【解決手段】  既設の護岸のブロック４面に溶接プレート３１を固定し、パネル固定用プレート２２を間隔をおいて取り付けたＨ鋼２１を高さ調整用アングル３２を介して所定の位置になるように前記溶接プレート３１に溶接固定し、コンクリートパネル１を前記パネル固定用プレート２２にボルトで固定するとともに、２段目以降のコンクリートパネル１にはズレ止めプレート１３を取り付けたコンクリートパネル１を使用して固定し、既設の護岸のブロック４と前記コンクリートパネル１との空間に生コンクリートを打設，硬化する。【選択図】  図１
2006083571.tif 000002
【特許請求の範囲】
【請求項１】
既設の護岸のブロック面に溶接プレートを間隔をおいて固定し、表側にパネル固定用プレートを間隔をおいて取り付けたＨ鋼の裏側を間隔調整用部材を介して所定の位置になるように前記溶接プレートに溶接固定し、既設の護岸のブロック面にコンクリートパネルを並設して前記パネル固定用プレートにボルトで固定するとともに、２段目以降のコンクリートパネルにはズレ止めプレートを取り付けたコンクリートパネルを使用して固定し、既設の護岸のブロックとコンクリートパネルとの空間に生コンクリートを打設し、硬化することを特徴とするコンクリートパネルによる護岸の補強方法。
【発明の詳細な説明】
【技術分野】
【０００１】
本発明は、積みブロックや張りブロックなどの水路の護岸改修において、既設の水路を破壊することなく改修・補強する方法に関するものである。
【背景技術】
【０００２】
河川等の護岸は、特許文献１のように、積みブロックや張りブロックで施工されている場合があるが、長年の土圧によりブロックのハラミ出しがあり、部分的に崩れるような箇所があり、補強や改修をする必要が生じていた。
【特許文献１】特開平８−１７０３１８号公報
【発明の開示】
【発明が解決しようとする課題】
【０００３】
本発明は、かかる現状に鑑み、護岸の既設水路をそのまま残し、必要な流水量と強度を確保することができるコンクリートパネルによる護岸の補強方法を提供することを目的とするものである。
【課題を解決するための手段】
【０００４】
本発明は、上記の目的を達成するものであって、請求項１の発明は、既設の護岸のブロック面に溶接プレートを間隔をおいて固定し、表側にパネル固定用プレートを間隔をおいて取り付けたＨ鋼の裏側を間隔調整用部材を介して所定の位置になるように前記溶接プレートに溶接固定し、既設の護岸のブロック面にコンクリートパネルを並設して前記パネル固定用プレートにボルトで固定するとともに、２段目以降のコンクリートパネルにはズレ止めプレートを取り付けたコンクリートパネルを使用して固定し、既設の護岸のブロックとコンクリートパネルとの空間に生コンクリートを打設し、硬化することを特徴とするコンクリートパネルによる護岸の補強方法である。
【発明の効果】
【０００５】
本発明によれば、既設水路を破壊することなく、改修することができるので、コンクリートガラなどの産業廃棄物が発生せず、費用や工期的にも経済的である。なお、水路内をコンクリートパネルで補強すると、水路断面が狭くなるが、コンクリートパネルの粗度係数が既設のブロックより低減するので、必要な流水量は確保することができるとともに、高度の強度を確保することができる。
【発明を実施するための最良の形態】
【０００６】
以下、本発明をその実施例である図面にしたがって具体的に説明する。
本発明のコンクリートパネルによる護岸の補強方法においては、図３に示すように、既設の護岸のブロック４上に複数のコンクリートパネル１を上下，左右方向に密接するように配設するのであるが、安定に固定するために、以下の手段を採用する。
【０００７】
先ず、図１に示すように護岸のブロック４面上に複数の溶接プレート３１を上下，左右方向に間隔をおいて固定する。前記の間隔は、コンクリートパネル１の縦，横の長さに対応するように設定することが望ましい。溶接プレート３１の固定手段は、各種の手段が採用可能であり、例えば図１に示すように、護岸のブロック４に打ち込みアンカー３３を打設し、これに溶接プレート３１をナット３４で固定する。なお、コンクリートパネル１の粗度係数は０．０１３〜０．０１６であることが望ましい。
【０００８】
次に、前記溶接プレート３１には、上下方向に長尺のＨ鋼２１を取り付けるが、Ｈ鋼２１の裏側には溶接用Ｈ鋼２３が固定あるいは取り付けられていて、前記溶接プレート３１に溶接用Ｈ鋼２３を高さ調整用アングル３２を介して溶接等によって固定する。護岸ブロック４とコンクリートパネル１の裏側との間には間隔調整用部材としての溶接用Ｈ鋼２３と高さ調整用アングル３２が存在するので、生コンクリート打設用の空間５１が形成される。このようにして、Ｈ鋼２１は護岸のブロック４面上に空間５１を形成して固定されるが、Ｈ鋼２１の表側には、パネル固定用プレート２２が間隔をおいて溶接等によって固定されている。この間隔はコンクリートパネル１の上下方向の長さと対応するように等間隔であることが望ましい。パネル固定用プレート２２は図１ないし図３に示すように、左右方向に長尺であって、これにコンクリートパネル１の表面からボルト１１等によって固定することができる。
【０００９】
Ｈ鋼２１の表側には、さらにパネル固定用プレート２２と同厚みの受けプレート２６が溶接等によって固定されていることが望ましく、これによってＨ鋼２１とパネル１との間隔を一定に保持することができる。Ｈ鋼２１の下端部には、図１に示すように最下段のコンクリートパネルを受けるための受け金具２４が取り付けられているので、この受け金具２４にコンクリートパネル１の下部をはめ込み、ボルト２５で固定するとともに、コンクリートパネル１の上部を図２に示すように、パネル固定用プレート２２にてボルト１１で固定する。
【００１０】
２段目コンクリートパネル１の裏側の下端部には、ズレ止めプレート１３をパネルの裏側のインサートナット１２にボルトで取り付けておき、この２段目コンクリートパネル１を、ズレ止めプレート１３の下部が１段目のコンクリートパネル１の裏側に当接するように、挿入して下端部を固定するとともに、コンクリートパネル１の上部をパネル固定用プレート２２にボルト１１で固定する。ズレ止めプレート１３は、生コンクリートの打設時にコンクリートパネル１の下部が生コンクリートの圧力によるせり出しを防止する機能を有する。
【００１１】
次に、本発明の施工手順の一例を説明する。
既設の護岸のブロック４の表面を、コンクリートの付着性を高めるために、高圧洗浄機等を使用して洗浄し、既設護岸４に打ち込みアンカー３３を打設し、これに溶接プレート３１をナット３４で固定する。パネル固定用プレート２２を取り付けたＨ鋼２１をクレーンで吊り上げ、所定の高さ及び角度に合わせ、溶接プレート３１とＨ鋼２１とを高さ調整用アングル３２を介して溶接固定し、次に、コンクリートプレートパネル１をクレーンで吊り上げてＨ鋼２１の下端部に取り付けた受け金具２４にコンクリートパネル１の下部を嵌め込み、コンクリートパネル１の上部をパネル固定用プレート２２にボルト１１で固定する。このようにして、既設の護岸のブロック４の表面に水平方向にコンクリートパネル１を並設する。水抜き穴１０を既設の護岸の内側まで貫通させるために水抜き穴１０より削孔し、ビニールパイプを挿入する。コンクリートパネル１を１段分の所定の数量だけ固定した後には、既設の護岸のブロック４とコンクリートパネル１との空間５１に生コンクリートを打設し、硬化する。
【００１２】
２段目以上のコンクリートパネル１を設置する際には、コンクリートパネル１の下部にズレ止めプレート１３をボルトで固定するが、この際にはコンクリートパネル１に取り付けたズレ止めプレート１３が挿入できる隙間を設けるためにコンクリートパネル１の天端より８０mm程下がった位置まで生コンクリートを打設する。所望の段数分だけ、この作業を繰り返し、生コンクリートの硬化後、必要に応じてモルタルにてボルトの固定用穴を塞ぐことが望ましい。
【図面の簡単な説明】
【００１３】
【図１】本発明の護岸の補強方法の実施例を示す断面図である。
【図２】図１の実施例の正面図である。
【図３】図１の実施例の斜視図である。
【符号の説明】
【００１４】
１      コンクリートパネル
１０    水抜き穴
１１    ボルト
１２    インサートナット
１３    ズレ止めプレート
２１    Ｈ鋼
２２    パネル固定用プレート
２３    溶接用Ｈ鋼
２４    受け金具
２５    ボルト
２６    受けプレート
３１    溶接プレート
３２    高さ調整用アングル
３３    打ち込みアンカー
３４    ナット
４      護岸のブロック
５      生コンクリート
５１    空間
【図１】
2006083571.tif 000003
【図２】
2006083571.tif 000004
【図３】
2006083571.tif 000005